(57)【特許請求の範囲】
【請求項１】
利用可能な電子通貨の残高を含む電子通貨情報を格納する電子通貨情報記憶部と、
音の信号を又は振動の信号を記憶し、出力する模倣信号出力部と、
加速度センサを含み、加えられた加速度を検出する状況検知部と、
前記模倣信号出力部に、前記電子通貨情報記憶部が保持する電子通貨情報の電子通貨の残高あるいはその増減に応じて、前記模倣信号出力部が記憶している信号を選定して出力させ、前記状況検出部が検出した加速度に応じて、前記模倣信号出力部が記憶している信号を選定して出力させる制御部と、
を具備したことを特徴とする電子通貨端末装置。
【請求項２】
利用可能な電子通貨の残高を含む電子通貨情報を格納する電子通貨情報記憶部と、
音の信号を又は振動の信号を記憶し、出力する模倣信号出力部と、
加速度センサを含み、加えられた加速度を検出する状況検知部と、
前記状況検知部から加速度の入力を検知したとき、前記模倣信号出力部に、前記電子通貨情報記憶部が保持する電子通貨情報の電子通貨の残高あるいはその増減に応じて、前記模倣信号出力部が記憶している信号を選定して出力させる制御部と、
を具備したことを特徴とする電子通貨端末装置。
【請求項３】
前記模倣信号出力部が、財布や貯金箱や金庫などの道具を、振ったり落下させたりした際に生じる音を模倣した音、又は財布や貯金箱や金庫などの道具を、振ったり落下させたりした際に利用者が知覚する力を模倣した振動を出力することを特徴とする請求項１記載の電子通貨端末装置。
【発明の詳細な説明】
【０００１】
【発明の属する技術分野】
本発明は、電子通貨の残高を利用者の知覚し得る形式で出力する電子通貨端末装置に関する。
【０００２】
【従来の技術】
近年、エレクトロニック・コマース（ＥＣ＝Ｅｌｅｃｔｒｏｎｉｃ  Ｃｏｍｍｅｒｃｅ）への期待が高まってきている。これは、従来、金銭的価値を表す「物」である「通貨」を仲立ちとして行なわれてきた経済的活動での様々な制約を、情報処理技術を用いることによって解決しようとする試みである（特集「エレクトニック・コマース」，ｐｐ７５１−８１１，情報処理学会，「情報処理」，３８巻，９号，１９９７年，９月）。
【０００３】
このエレクトロニック・コマースでは、現実世界で利用されている従来の決裁方法に変わる、電子決済システム（ＥＰＳ＝Ｅｌｅｃｔｒｏｎｉｃ  Ｐａｙｍｅｎｔ  Ｓｙｓｔｅｍ  ）が必要とされ、その電子決裁システムの方法の一つとして、「電子通貨」（Ｅｌｅｃｔｒｏｃｉｃ  Ｃａｓｈ  ）がある。
【０００４】
この「電子通貨」は、電子署名などの情報セキュリティ技術によって保護された金銭価値情報を授受する仕組みを、通貨として利用するものであるといえる。
【０００５】
従来、ＩＣカードなどに、現在利用可能な電子通貨の価値情報や利用者の個人情報などを記録しておき、このＩＣカードを専用の端末装置などに接続し、授受する金額などを指定すると共に、利用者が電子通貨の授受を承認するための暗証番号などを入力することで、金銭的な価値を表す情報である電子通貨を、他者と簡便かつ安全に交換出来るようにしている。
【０００６】
これにより、利用者は、例えば釣り銭を出したり、小銭を得るために両替を行なったりする必要がなくなる。また、他者が不法に利用できないため盗難の被害を受ける恐れが減少したり、あるいは大量の通貨を持ったりすることによる携帯上の不都合が解消されるなどのメリットが期待されている。
【０００７】
【発明が解決しようとする課題】
ところが、このような電子通貨および端末装置には、以下に示すような問題点がある。まず、従来の通貨の交換と違い、物理的なものの移動がないため、授受の確認がし難いという問題がある。
【０００８】
また、従来の通貨の交換と違い、物理的なものの増減や大きさの変化が起こらないため、直感的な残高確認が出来ないという問題がある。また、従来の通貨の交換と違い、物理的なものの増減や大きさの変化が起こらないため、例えば手探りで概要量も分からないという問題がある。
【０００９】
また、利用可能な電子通貨の量を、例えば視覚情報によって表示する機能をもつ電子通貨端末装置では、繁雑な操作を行なわないと内容量が把握できないという問題がある。
【００１０】
また、従来の通貨の交換と違い、他の物に対する通貨に特徴的な物理的性質がないため、例えば落下させた場合にも、金銭的価値を持つ「通貨」を落としたことに気がつき難いという問題がある。
【００１１】
本発明はこのような事情を考慮してなされたもので、金銭的価値の授受の確認がしやすい、電子通貨端末装置および電子通貨端末方式を提供するものである。また、電子通貨の増減や残高確認を直感的に行なうことの出来る、電子通貨端末装置を提供するものである。
【００１２】
また、例えば手探りで電子通貨の概要量を知ることが可能な、電子通貨端末装置および電子通貨端末方式を提供するものである。また、電子通貨の量を、繁雑な操作なしで把握することが可能な、電子通貨端末装置および電子通貨端末方式を提供するものである。また、金銭的価値の「通貨」を落としたことに気がつき易い、電子通貨端末装置を提供するものである。
【００１３】
【課題を解決するための手段】
本発明は、利用可能な電子通貨の残高を含む電子通貨情報を格納する電子通貨情報記憶部と、音の信号を又は振動の信号を記憶し、出力する模倣信号出力部と、加速度センサを含み、加えられた加速度を検出する状況検知部と、模倣信号出力部に、電子通貨情報記憶部が保持する電子通貨情報の電子通貨の残高あるいはその増減に応じて、模倣信号出力部が記憶している信号を選定して出力させ、状況検出部が検出した加速度に応じて、模倣信号出力部が記憶している信号を選定して出力させる制御部と、を具備したことを特徴とする電子通貨端末装置を提供する。
【００１４】
即ち、例えば、入金や出金がなされた際や、あるいは利用者が前回残高を参照して以降に入金や出金がなされていた場合などに、現在の電子通貨の量やその変化に応じて、あらかじめ定めた利用者が知覚可能な音や振動などといった信号を適宜利用者に提示することで、通常の通貨を対象とした例えば財布や貯金箱や金庫などといった既存の道具と類似した使用感を提供することによって、利用者とのインタフェースを向上させる装置である。  また、好ましくは、模倣信号出力部に記憶される信号は、財布や貯金箱や金庫などの道具を、振ったり落下させたりした際に生じる音を模倣した音信号からなることを特徴とする。
【００１５】
即ち、利用者に提示する、既存の通貨を対象とした財布や貯金箱や金庫などといった既存の道具と類似した使用感を与えるための上述の信号として、例えば既存の貨幣同士が触れあったり、こすれあったりする際に生じる音を効果音としてあらかじめ用意しておき、これを電子通貨の量や変化に応じて選択し、利用者に提示することで、使用者とのインタフェースを向上させる装置である。
【００１６】
また、好ましくは、模倣信号出力部に記憶される信号は、財布や貯金箱や金庫などの道具を、振ったり落下させたりした際に利用者が知覚する力を模倣した力信号からなることを特徴とする。
【００１７】
即ち、例えば利用者が本装置を光の少ない例えば鞄やポケットなどから取り出した際や、あるいは利用者が本装置を操作した際や、あるいは本装置が利用者によって振られたり、あるいは落下したりすることなどによって、振動や加速度がかかった際などに、既存の通貨を対象とした財布や貯金箱や金庫などといった既存の道具と類似した使用感を与えるための上述の信号を利用者に提示し、使用者とのインタフェースを向上させる装置である。
【００１８】
【発明の実施の形態】
以下、図面を参照して本発明の一実施例に係る電子通貨端末装置につき説明する。なおここでは、電子通貨を保持、携帯し、他者と電子通貨のやり取りを行なうための財布としての機能を持つ電子通貨端末装置において、音信号による模倣出力によって、利用者とのインタフェースを改善する実施例を示すこととする。
【００１９】
図１は、本装置に係る電子通貨端末装置の構成例を表しており、本装置が、電子通貨情報記憶部１０１、模倣信号出力部１０２、制御部１０３、操作入力部１０４、および状況検知部１０５などから構成されていることも表している。
【００２０】
電子通貨情報記憶部１０１は、現在利用可能な電子通貨の量や利用者に関する情報を保持する様にしている。模倣信号出力部１０２は、既存の通貨を対象とした財布や貯金箱や金庫などといった既存の道具と類似した使用感を与えるための、利用者への信号を出力するものである。本実施例では、音信号を利用者に提示する場合を例として説明することとする。
【００２１】
図２は、模倣信号出力部１０２の内部構成の例を表しており、模倣信号出力部１０２が、波形記憶部１０２ａ、ＤＡ変換部１０２ｂ、アンプ部１０２ｃ、およびスピーカ部１０２ｄなどから構成されることも表している。波形記憶部１０２ａには、様々な量の従来の通貨を従来の財布や容器の中に入れて、物理的に振った際に生じる音信号をデジタル録音した各種の波形情報を、ＩＤともに記録するようにしている。
【００２２】
ＤＡ変換部１０２ｂは、制御部１０３の指示に従って、波形記憶部１０２ａの内容を参照し、ＩＤにより指定されたデジタル波形情報をデジタルアナログ変換し、アンプ部１０２ｃへ送るようにしている。アンプ部１０２ｃは、制御部１０３の指示に従って、ＤＡ変換部１０２ｂからえられるアナログ波形情報を増幅し、スピーカ部１０２ｄへ送るようにしている。スピーカ部１０２ｄは、アンプ部１０２ｃからえられるアナログ波形を音声信号に変換し、利用者に提示するようにしている。
【００２３】
また、図３は制御部１０３の内部構成の例を表しており、制御部１０３が制御処理部１０３ａおよび制御規則記憶部１０３ｂなどから構成されていることを表している。制御処理部１０３ａは、本装置の各構成要素の動作状況、および制御規則記憶部１０３ｂを参照して、本装置の各構成要素の動作を制御するようにしている。制御規則記憶部１０３ｂは、制御処理部１０３ａが参照するための制御規則を記録するようにしている。この制御部の詳細は後ほど説明する。
【００２４】
図１に於いて、１０４は操作入力部であり、本装置の表面などに設置されたスイッチなどによって実現され、利用者からの操作を随時制御部１０３へ通知するようにしている。
【００２５】
図１に於いて、１０５は状況検知部であり、本装置内部に設置された加速度センサや、あるいは本装置表面に設置された光センサなどによって実現され、センサが検知した情報を、随時制御部１０３へ通知するようにしている。
【００２６】
つづいて、制御部１０３の詳細について説明する。図４は、制御規則記憶部１０３ｂの内容の例を表しており、制御規則が、起動条件情報Ａ、および制御内容情報Ｂなどと分類され記録されるようにしている。なおアドレス情報Ｃは、制御規則の格納アドレスを表している。
【００２７】
制御規則記憶部１０３ｂの内容の例の各エントリにおいて、起動条件情報Ａには、対応する制御規則を適応する際の条件が記述されている。なお、ここで記号「＆」は複数の条件の論理積を表すこととする。
【００２８】
例えば、図４のアドレス情報Ｃ＝Ａ１のエントリについては、起動条件情報Ａの内容は「操作入力あり＆残金指定値到達（０）」とあるが、これは、利用者が操作入力部１０４のスイッチを押し、かつ電子通貨情報記憶部１０１に記録されている電子通貨の残高が０に到達していることが、この制御規則の適応条件であることを表している。
【００２９】
同様に、図４のアドレス情報Ｃ＝Ａ２のエントリについては、起動条件情報Ａの内容は「残金指定値到達（Ｔｈ）」とあるが、これは、電子通貨情報記憶部１０１に記録されている電子通貨の残高がＴｈに到達したことが、この制御規則の適応条件であることを表している。
【００３０】
また、図４のアドレス情報Ｃ＝Ａ３およびＡ４の各エントリについては、起動条件情報Ａの内容は、それぞれ「残金減少検出」および「残金減少検出」であるが、これらは、電子通貨情報記憶部１０１に記録されている電子通貨の残高が減少あるいは増加したことが、それぞれの制御規則の適応条件であることを表している。
【００３１】
また、図４のアドレス情報Ｃ＝Ａ５およびＡ６およびＡ７の各エントリについては、起動条件情報Ａの内容は、それぞれ「操作入力あり＆振り加速度検出＆残金範囲（Ｔｈ１＜＝Ｘ＜Ｔｈ２）」、「操作入力あり＆振り加速度検出＆残金範囲（Ｔｈ２＜＝Ｘ＜Ｔｈ３）」、「操作入力あり＆振り加速度検出＆残金範囲（Ｔｈ３＜＝Ｘ＜Ｔｈ４）」である。
【００３２】
それぞれの記述内容のうちの、「操作入力あり＆振り加速度検出」の部分は、利用者が操作入力部１０４のスイッチを押し、かつ状況検出部１０５の加速度センサから利用者が本装置を振るなどしたことがそれぞれの制御規則の起動条件の必要条件であることを表している。
【００３３】
また、それぞれの「残金範囲（Ｔｈ１＜＝Ｘ＜Ｔｈ２）」、および「残金範囲（Ｔｈ２＜＝Ｘ＜Ｔｈ３）」、および「残金範囲（Ｔｈ３＜＝Ｘ＜Ｔｈ４）」の部分は、電子通貨情報記憶部１０１の内容がそれぞれ、閾値Ｔｈ１以上かつ閾値Ｔｈ２未満、あるいは、閾値Ｔｈ２以上かつ閾値Ｔｈ３未満、あるいは、閾値Ｔｈ３以上かつ閾値Ｔｈ４未満、であるという条件を表している。
【００３４】
これにより、図４のアドレス情報Ｃ＝Ａ５およびＡ６およびＡ７の各エントリの制御規則によって、利用者が操作入力部１０４のスイッチを押し、かつ状況検出部１０５の加速度センサから利用者が本装置を振るなどしたさいに、電子通貨の量に応じて適応する規則を別個に指定することが出来るようにしている。
【００３５】
また、図４のアドレス情報Ｃ＝Ａ８の各エントリについては、起動条件情報Ａの内容は、「落下加速度検知」であるが、これは状況検出部１０５の加速度センサが、本装置が例えばある高さから床に落下することなどによって生じる加速度を受けたと判断したことが対応する制御規則の適応条件であることを示している。
【００３６】
また、制御規則記憶部１０３ｂの内容の例の各エントリにおいて、制御内容情報Ｂには、対応する制御規則を適応した際に実施すべき制御の内容が記録されるようにしている。例えば、図４のアドレス情報Ｃ＝Ａ１のエントリでは、制御内容情報Ｂの内容が「模倣出力（ＩＤ−１）」であるので、この制御規則の適応が決定された場合には、模倣出力部１０２に対して「ＩＤ−１」の出力を行なうよう指令が出され、模倣出力部１０２の働きにより対応する音情報が利用者に提示されることになる。以上は本装置の構成である。
【００３７】
つづいて、制御部１０３の動作について説明する。制御部１０３は以下の処理手順Ａに沿って動作する。なお、図５は処理手順Ａのフローチャートである。
【００３８】
＜処理手順Ａ＞
Ａ１…各構成要素の状況に変化があった場合にはＡ２へすすむ。
Ａ２…制御部１０３の制御規則記憶部１０３ｂから適応可能な規則Ｘｉをさがす。
Ａ３…適応可能な制御規則Ｘｉが存在する場合はＡ４へ進み、そうでない場合はＡ２へ進む。
Ａ４…制御規則Ｘｉの制御内容情報Ｂの内容を実施する。
Ａ５…制御部１０３の制御規則記憶部１０３ｂには、未検査の規則Ｘがある場合Ａ２へ進む。
Ａ６…Ａ１へ進む。
【００３９】
以上が本装置の構成とその機能である。ここで先ず上述した処理について、図を参照して更に詳しく説明する。まず、最初本装置に３０００円に相当する電子貨幣が格納されていたものとする。また、図４の制御規則記憶部における各種の定数の値が、それぞれ、Ｔｈ１＝１００円、Ｔｈ２＝１０００円、Ｔｈ３＝５０００円，Ｔｈ＝４０００円であったとする。
【００４０】
また、波形記憶部１０２ａに記録されているＩＤ−１〜７の波形情報の音が、例えば、ＩＤ−１は「ブザー音」、ＩＤ−２は、「チャイム音」、ＩＤ−３は「キャッシャの開く音その１」、ＩＤ−４は「キャッシャの開く音その２」、ＩＤ−５は、「少数の少額硬貨が容器の中でぶつかり合う小さな音」、ＩＤ−６は、「少数の雑多な硬貨が容器の中でぶつかり合う中程度の音」、ＩＤ−７は「大量の高額硬貨が容器の中でぶつかり合う大きな音」、ＩＤ−８は、「硬貨を硬い地面に落した際に生じる大きな音」、などとなっているものとする。
【００４１】
最初利用者が、本装置を手に持ち、操作ボタンを押しながら左右に振ったとする。すると、状況検出部１０５の加速度センサによってこの動作が検知され、「振り加速度検知」を表す情報が制御部１０３に通知されるとともに、操作入力部１０４から「操作入力有り」を表す情報が、制御部１０３に通知される。
【００４２】
すると、制御部１０３では、この通知によって処理手順ＡのステップＡ１から、ステップＡ２へと進み、制御規則記憶部１０３ｂから適応可能な制御規則が検索される。
【００４３】
ここでは「振り加速度検知」と「操作入力有り」が通知されているので、図４の制御規則記憶部１０３ｂの格納アドレスＣ＝Ａ５およびＡ６およびＡ７のエントリが起動可能となる可能性があるが、現在の電子通貨情報記憶部１０１の内容は３０００円であり、Ｔｈ３＝１０００＜３０００＜＝Ｔｈ４＝５０００であるため、制御規則記憶部１０３ｂの格納アドレスＣ＝Ａ７の規則のみが適応可能な制御規則として検出される。
【００４４】
その結果ステップＡ４へ進み、制御規則記憶部１０３ｂの格納アドレスＣ＝Ａ７の制御内容情報Ｂの内容が「模倣出力（ＩＤ−７）」であるため、制御部１０３によって、模倣出力部１０２の波形情報記憶部１０２ａからＩＤ＝７に対応する「大量の高額硬貨が容器の中でぶつかり合う音」のデジタル波形が選択され、ＤＡ変換部１０２ｂによってアナログ波形信号に変換され、アンプ部１０２ｃによって拡大され、スピーカ部１０２ｄから音声信号として出力されることによって、「大量の高額硬貨が容器の中でぶつかり合う大きな音」が利用者に提示される。
【００４５】
以上の処理によって、利用者が本装置のボタンを押しながら本装置を振ることによって、現在本装置に保持されている電子通貨の量が比較的多いという、電子通貨の量の概要を、従来の財布と同じ方法で知ることが出来ることになる。
【００４６】
次に、利用者が本装置を用いて２９５０円分の電子通貨の支払を行なったとする。その結果、電子通貨情報記憶部１０１の内容が変更され、その変化が「残金減少検出」を表す情報が制御部１０３に通知される。
【００４７】
上述の処理と同様に、処理手順ＡのステップＡ１〜Ａ３の処理がなされ、こんどは、図４の格納アドレス情報Ｃ＝Ａ３のエントリに対応する制御規則が、適応可能な制御規則として見つけられる。つづくステップＡ４によって、このエントリの制御ないよう情報Ｂの内容「模倣出力（ＩＤ−３）」に基づき、上述の処理と同様の処理が行なわれ、利用者に、ＩＤ＝３に対応する、「キャッシャの開く音その１」が音声情報として提示される。
【００４８】
以上の処理によって、何らかの電子通貨の支払いが行なわれたことを、従来の通貨と同じ方法で、利用者が把握することが出来るようになる。
【００４９】
つぎに、ここで利用者が本装置のボタンを押しながら本装置を振ると、最初の例と同様の処理が行なわれるが、ここでの電子通貨の残金が、３０００−２９５０＝５０円であり、かつ０＜５０＜Ｔｈ１＝１００であるため、上述と同様の処理によって、ＩＤ＝５の模倣音声である「少数の少額硬貨が容器の中でぶつかり合う小さな音」が利用者に提示される。
【００５０】
以上の処理によって、利用者が本装置のボタンを押しながら本装置を振ることによって、現在本装置に保持されている電子通貨の量がほとんどないという、電子通貨の量の概要を、従来の財布と同じ方法で知ることが出来ることになる。
【００５１】
さらに、ここで本装置に対して、例えば２０００円の電子通貨が追加されたとすると、上述度同様の処理によって、「残金増化検出」を表す情報が制御部１０３に送られ、図４の制御規則記憶部１０３ｂの格納アドレス情報Ｃ＝Ａ４のエントリが適応可能な制御規則として検索され、その制御内容情報Ｂが「模倣出力（ＩＤ−４）」であることから、模倣出力部１０２から、ＩＤ＝４に対応する「キャッシャの開く音その２」が音声出力として利用者に提示される。以上の処理によって、電子通貨が振り込まれた際に利用者がそれを確認することが可能となる。
【００５２】
また、この時点で、利用者が本装置のボタンを押しながら本装置を振ると、上述の例と同様の処理が行なわれるが、ここでの電子通貨の残金が、５０−２０００＝２０５０円であり、かつＴｈ２＝１０００＜２０５０＜Ｔｈ３＝５０００であるため、上述と同様の処理によって、ＩＤ＝６の模倣音声である「少数の雑多な少額硬貨が容器の中でぶつかり合う駐程度の音」が利用者に提示される。以上の処理によって、利用者が本装置のボタンを押しながら本装置を振ることによって、現在本装置に保持されている電子通貨の量が中くらいであるという電子通貨の量の概要を、従来の財布と同じ方法で知ることが出来ることになる。
【００５３】
つぎに、利用者が本装置を誤って地面に落したとする。すると、状況検知部１０５の加速度センサによってその衝撃が検出され、「落下加速度検知」を表す情報が、制御部１０３に通知される。これに対して、処理手順ＡのステップＡ１〜Ａ３の処理について、上述と同様の処理がなされ、図４の制御規則記憶部１０３ｂの格納アドレス情報Ｃ＝Ａ８のエントリが、適応可能な制御規則として検出され、ステップＡ５によって、このエントリの制御内容情報Ｂの内容「模倣出力（ＩＤ−８）」に従い、上述の処理と同様の方法で、模倣出力部１０２から、ＩＤ＝８に対応する「硬貨を硬い地面に落した際に生じる大きな音」が音声信号として出力される。
【００５４】
以上の処理によって、利用者が誤って本装置を落としてしまった際などに、従来の財布を地面に落した時に生じる音に類似した音出力がなされることによって、利用者の注意を換気し、本装置を落したままにし難くなるという効果がえられる。
【００５５】
さらに、図４の格納アドレス情報Ｃ＝Ａ２のエントリに示した制御規則を用意することによって、電子通貨の量が利用者があらかじめ定めた金額に到達した際に、例えば「チャイム音」などあらかじめ設定した音を提示することも可能である。
【００５６】
かくしてこのように構成された本装置によれば、利用者が電子通貨の増減や残高確認を直感的に行なうことが可能なる。また、目を使わずに例えば手探りなどによって、従来の財布と同様の方法で、電子通貨の概要量を知ることが可能となる。
【００５７】
また、利用者が電子通貨の量を、繁雑な操作なしで把握することが可能となる。また、金銭的価値を持つ電子通貨を保持する本装置を落とした際にも、従来の通貨に対して習得している利用者の注意力を利用することで、その重要性を利用者が気がつき易くなるという効果がある。尚、本装置にかかる電子通貨端末装置の構成方法および効果も上述した例に限定されるものではない。
【００５８】
例えば、上述の実施例の図１に示した上記実施例の装置の構成要素の内、操作入力部１０４および状況検知部１０５は、それぞれ別個に選択的に構成に組み入れたりあるいは取り除いたりすることが可能である。
【００５９】
即ち、例えば、操作入力部１０４のみを組み込み、例えば図１の構成から状況検知部１０５を取り除いた構成は、本発明の請求項２に対応する実施例となる。
【００６０】
また、例えば図１の構成から操作入力部１０４を取り除き、状況検知部１０５のみを組み込んだ構成は、本発明の請求項３に対応する実施例となる。
【００６１】
また、上述の実施例における処理手順をソフトウェアとして実装し、汎用計算機上で動作させることによっても本発明を実現することが可能である。
【００６２】
また、上述の実施例では、電子通貨の残高の増減に応じて自動的に音信号が出力されるように構成していたが、これを利用者の設定によって無効化できるようにすることも可能である。
【００６３】
また、上述の実施例では、デジタル波形として記録された音信号を、復号処理することで、模倣音声の出力を実現していたが、このような記録再生方式ではなく、模倣音声を生成するように構成することも可能である。
【００６４】
また、上述の実施例では、音信号による模倣出力を行なう例を示していたが、例えば提力デバイスなどを用いることによって、現実の通貨を扱うための道具である財布や貯金箱や金庫などの振舞いを模倣させるように構成することも可能である。つまり、例えば電子通貨の増化に対して、その増加量に応じた振動を提示することも可能である。あるいは、折り畳み式の財布状の電子通貨端末では、その折り畳み部の操作における抵抗（硬さ）を、例えば現在保持している電子通貨の量に応じて変えて、電子通貨の量の概要を、利用者が従来の財布と類似した方法で推し量ることを可能とすることも出来る。
【００６５】
また、上述の実施例では、一体化された電子財布状の電子通貨端末装置を例として示したが、例えばＩＣカードやメモリカードなどを使って、例えば現在の電子通貨の量や、電子通貨の授受を可能ならしめる暗号鍵じょうほうなどを別に保持する形態による実現や、あるいは通信部を持ちネットワーク接続することによって、利用可能な電子通貨の量などをセンターに保持する形態による電子通貨端末装置に対しても、本発明を適応することが可能である。
【００６６】
また、本発明で提示される模倣出力は実際の電子通貨の量と対応してなくても良い。
【００６７】
【発明の効果】
以上説明したように、本発明によれば、金銭的価値の授受を確認しやすくなる。また、電子通貨の増減や残高確認を直感的に行なうことが出来る。また、例えば手探りで電子通貨の概要量を知ることが可能となる。また、電子通貨の量を、繁雑な操作なしで把握することが可能となる。また、金銭的価値の「通貨」を落としたことに気がつき易くなる等の実用上多大な効果が奏せられる。
【図面の簡単な説明】
【図１】  電子通貨端末装置の構成の例。
【図２】  模倣信号出力部１０２の内部構成の例。
【図３】  制御部１０３の内部構成の例。
【図４】  制御規則記憶部１０３ｂの内容の例。
【図５】  処理手順Ａのフローチャート。
【符号の説明】
１０１…電子通貨情報記憶部
１０２…模倣信号出力部
１０２ａ…波形記憶部
１０２ｂ…ＤＡ変換部
１０２ｃ…アンプ部
１０２ｄ…スピーカ部
１０３…制御部
１０３ａ…制御処理部
１０３ｂ…制御規則記憶部
１０４…操作入力部
１０５…状況検知部
【図１】
0004181282.tif 000002
【図２】
0004181282.tif 000003
【図３】
0004181282.tif 000004
【図４】
0004181282.tif 000005
【図５】
0004181282.tif 000006